【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
ゲローター装置であって、
ハウジングと、
前記ハウジング内に配置された外側ゲローターと、
前記外側ゲローター内に配置された内側ゲローターと、
前記外側ゲローターの端部に隣接して配置された第１の表面を有する、前記ハウジングに堅固に連結されたバルブプレートと、
前記バルブプレートに連結され、前記外側ゲローターの端部と前記バルブプレートの表面との間の隙間を検出するように作動可能である近接センサーと、
前記外側ゲローターの端部と、前記バルブプレートとの間の隙間を調整するための手段と、
を備える、ゲローター装置。
【請求項２】
ゲローター装置であって、
ハウジングと、
前記ハウジング内に配置された外側ゲローターと、
前記外側ゲローター内に配置された内側ゲローターと、
前記ハウジングに堅固に連結され、前記外側ゲローターの端部に隣接して配置された第１の表面を有する、バルブプレートと、
前記第１の表面の周辺部の回りに配置された密封リングと、
前記密封リングと前記外側ゲローターの端部との間の隙間を制御するように作動可能である、作動システムと、
を備える、ゲローター装置。
【請求項３】
前記作動システムは、
前記密封リング内に形成された少なくとも１つのアパーチャを通して前記隙間内にガスを分配するように作動可能である、ガス供給源と、
前記隙間内に分配されたガスの流量を測定するように作動可能である流量測定装置と、
前記流量測定装置に連結され且つ前記流量測定値を受け取るように作動可能であるコントローラと、
前記コントローラに連結され、流量測定値に基づいて前記密封リングを並進させるように作動可能である、アクチュエータと、
を備える、請求項２に記載のゲローター装置。
【請求項４】
前記バルブプレートは、
入口ポートと、
排出ポートと、
前記入口ポート又は前記排出ポートのいずれかと摺動可能に係合する圧縮制御要素であって、該圧縮制御要素は、前記入口ポート又は前記排出ポートのいずれかの内部のその位置に基づいて前記ゲローター装置の圧縮比を制御するように作動可能である、前記圧縮制御要素と、
を備える、請求項２に記載のゲローター装置。
【請求項５】
前記ハウジングの周辺部の回りに配置されたジャケットを更に備え、該ジャケットは、該ジャケットを流体が通過することを可能にするため、入口ポート及び出口ポートを備える、請求項２に記載のゲローター装置。
【請求項６】
ゲローター装置の潤滑油内へのガスの漏れを制御するための作動装置であって、
ゲローターの表面とバルブプレートとの間に配置された密封リングであって、前記ゲローターの表面と前記密封リングとの間にガスが存在するようにし、該密封リングは、複数のアパーチャが形成される、前記密封リングと、
前記アパーチャを通って前記隙間内にガスを分配するように作動可能であるガス供給部と、
前記隙間内に分配されるガスの流量を測定するように作動可能である流量測定装置と、
前記流量測定装置に連結され且つ流量測定値を受け取るように作動可能であるコントローラと、
前記コントローラに連結され、前記流量測定値に基づいて前記密封リングを並進させるように作動可能である、アクチュエータと、
を備える、ゲローター装置。
【請求項７】
ゲローター装置であって、
ハウジングと、
前記ハウジング内に配置された外側ゲローターと、
前記外側ゲローター内に配置された内側ゲローターと、
前記ハウジングに堅固に連結されたバルブプレートと、
を備え、
前記バルブプレートは、
前記外側ゲローターの端部に隣接して配置された第１の表面と、
入口ポートと、
排出ポートと、
前記入口ポート又は前記排出ポートのいずれかと摺動可能に係合する圧縮制御要素であって、該圧縮制御要素は、前記入口ポート又は前記排出ポートのいずれかの内部のその位置に基づいて前記ゲローター装置の圧縮比を制御するように作動可能である、前記圧縮制御要素と、
を備える、ゲローター装置。
【請求項８】
前記第１の表面の周辺部の回りに配置された密封リングと、
前記密封リングと前記外側ゲローターの端部との間の隙間を制御するように作動可能である、作動システムと、
を更に備え、
前記作動システムは、
前記密封リング内に形成された少なくとも１つのアパーチャを通って前記隙間内にガスを分配するように作動可能であるガス供給部と、
前記隙間内に分配されるガスの流量を測定するように作動可能である流量測定装置と、
前記流量測定装置に連結され且つ流量測定値を受け取るように作動可能であるコントローラと、
前記コントローラに連結され、前記流量測定値に基づいて前記密封リングを並進させるように作動可能である、アクチュエータと、
を備える、請求項７に記載のゲローター装置。
【請求項９】
ゲローター装置であって、
ハウジングと、
前記ハウジングに第１の端部で堅固に連結された内側シャフトと、
前記内側シャフトに回転可能に連結された中空シャフトと、
前記中空シャフトに堅固に連結された内側ゲローターと、
回転シャフトによって前記ハウジング内に回転可能に配置された外側ゲローターと、
前記外側ゲローターに堅固に連結され、円形孔が形成されたシールプレートと、
前記シールプレートの円形孔内に配置され、円形孔が形成されたシールプラグと、
前記シールプラグの円形孔内に配置され、前記中空シャフト上で前記外側ゲローターを支持する、第１のベアリングと、
を備える、ゲローター装置。
【請求項１０】
前記ハウジング内に配置された非回転マウントを更に備え、該非回転マウントは前記内側シャフトを前記シールプラグに連結する、請求項９に記載のゲローター装置。
【請求項１１】
前記ハウジングの周辺部の回りに配置されたジャケットを更に備え、該ジャケットは、流体が該ジャケットを通って流れることを可能にするため、入口ポート及び出口ポートを備える、請求項９に記載のゲローター装置。
【請求項１２】
ゲローター装置であって、
ハウジングと、
前記ハウジングに第１の端部で連結された中空シャフトと、
前記中空シャフト内に配置され、且つ、第１及び第２の端部で前記ハウジングに回転可能に連結された内側シャフトと、
前記内側シャフトに堅固に連結された内側ゲローターと、
前記内側シャフトに堅固に連結された第１の同期化機構と、
前記中空シャフトに回転可能に連結され、且つ、第２の同期化機構を有する、外側ゲローターと、
前記外側ゲローターに堅固に連結されたシールプレートと、
を備える、ゲローター装置。
【請求項１３】
前記第１の同期化機構は、整列部材であり、前記第２の同期化機構は、整列案内手段であり、該整列部材及び該整列案内手段は、前記内側ゲローターの前記外側ゲローターに対する回転を制御するため互いに連関して作働する、請求項１２に記載のゲローター装置。
【請求項１４】
前記シールプレートに形成された円形孔内に配置されたシールプラグであって、前記内側シャフトと同心に形成された円形孔を有する、前記シールプラグと、
前記シールプラグの前記円形孔内に配置され、且つ、該シールプラグを位置付ける、第１のベアリングと、
を更に備える、請求項１２に記載のゲローター装置。
【請求項１５】
ゲローター装置であって、
ハウジングと、
前記ハウジング内に配置された外側ゲローターと、
前記外側ゲローター内に配置された内側ゲローターと、
前記内側ゲローター内に配置されたギアハウジングであって、該ギアハウジングは、前記外側ゲローターの回転を前記内側ゲローターの回転と同期させるように作働可能である少なくとも１つのギアを収容する、前記ギアハウジングと、
を備える、ゲローター装置。
【請求項１６】
第１の端部で前記第１のギアに堅固に連結され、且つ、第２の端部で前記ハウジングに回転可能に連結された上側シャフトと、
第１の端部で前記第２のギアに堅固に連結され、且つ、第２の端部で前記ハウジングに回転可能に連結された下側シャフトと、
を更に備える、請求項１６に記載のゲローター装置。
【請求項１７】
前記外側ゲローターを前記上側シャフトに堅固に連結させるシールプレートを更に備える、請求項１６に記載のゲローター装置。
【請求項１８】
前記ギアハウジングを前記ハウジングの第１の端部に堅固に連結する上側シャフトと、
前記ギアハウジングを前記ハウジングの第２の端部に堅固に連結する下側シャフトと、
第１の端部で前記第１のギアに堅固に連結され、且つ、第２の端部で前記上側シャフトに回転可能に連結された、中空上側シャフトと、
第１の端部で前記第２のギアに堅固に連結され、且つ、第２の端部で前記下側シャフトに回転可能に連結された、中空下側シャフトと、
前記中空上側シャフトに堅固に連結された、第３のギアと、
前記第３のギアに連結された、駆動ギアと、
前記ハウジングの前記第１の端部に回転可能に連結され且つ前記駆動ギアに堅固に連結された、回転シャフトと、
を更に備える、請求項１５に記載のゲローター装置。
【請求項１９】
前記少なくとも１つのギアは、第２のギアに堅固に連結された第１のギアを備え、該第１のギアは、前記内側ゲローターの内部に連結された内部ギアと噛み合い、前記第２のギアは、前記外側ゲローターに連結されたシールプレートの内部に連結された内部ギアと噛み合う、請求項１５に記載のゲローター装置。
【請求項２０】
前記ギアハウジングを前記ハウジングの第１の端部に堅固に連結する上側シャフトと、
前記ギアハウジングを前記ハウジングの第２の端部に堅固に連結する下側シャフトと、
第１の端部で前記シールプレートに堅固に連結され、且つ、第２の端部で前記上側シャフトに回転可能に連結された、中空シャフトと、
前記中空シャフトに堅固に連結された、第３のギアと、
前記第３のギアに連結された、駆動ギアと、
前記ハウジングの前記第１の端部に回転可能に連結され且つ前記駆動ギアに堅固に連結された、回転シャフトと、
を更に備える、請求項１９に記載のゲローター装置。
【請求項２１】
ゲローター装置であって、
ハウジングと、
前記ハウジングの第１の端部に回転可能に連結された第１のシャフトと、
シールプレート及びギアハウジングを介して前記第１のシャフトに連結された外側ゲローターと、
前記ハウジングの第２の端部に連結された剛性シャフトと、
前記外側ゲローター内に配置され、且つ、前記剛性シャフトに回転可能に連結された、内側ゲローターと、
を備え、
前記ギアハウジングは、前記外側ゲローターに連結された第１のギアと前記内側ゲローターに連結された第２のギアとを連結する内部ギアを収容し、該内部ギアは、前記剛性シャフトに回転可能に連結されている、ゲローター装置。
【請求項２２】
前記ハウジングの周辺部の回りに配置されたジャケットを更に備え、該ジャケットは、該ジャケットを流体が通過することを可能にするため、入口ポート及び出口ポートを備える、請求項２１に記載のゲローター装置。
【請求項２３】
ゲローター装置であって、
ハウジングと、
前記ハウジング内に配置された外側ゲローターと、
前記外側ゲローター内に配置された内側ゲローターと、
前記外側ゲローター及び内側ゲローターを駆動するため、前記ハウジングの外部にあるギアシステムと、
を備え、
前記ギアシステムは、
第１のギア及び第２のギアを有する回転シャフトと、
前記第１のギアと噛み合い且つ第１のシャフトに連結された第３のギアであって、前記第１のシャフトは前記外側ゲローターに堅固に連結され且つ前記ハウジングの第１の端部に回転可能に連結される、前記第３のギアと、
前記第２のギアと噛み合い且つ第２のシャフトに連結された第４のギアであって、前記第２のシャフトは前記内側ゲローターに堅固に連結され且つ前記ハウジングの第２の端部に回転可能に連結される、前記第４のギアと、
を備える、ゲローター装置。
【請求項２４】
ゲローター装置であって、
ハウジングと、
前記ハウジング内に配置された外側ゲローターと、
前記外側ゲローター内に配置された内側ゲローターと、
前記ハウジングの内側表面から内部に延在する複数の突起部であって、該突起部の各々の間に複数のガスポケットを形成する、前記複数の突起部と、
を備え、
前記外側ゲローターは、該外側ゲローターの壁に形成された複数の導管を備え、該導管は、前記外側ゲローター内部の圧縮チャンバーから該外側ゲローターの外部へと延在して、ガスが該圧縮チャンバーから前記ガスポケットへと移動することを可能にする、ゲローター装置。
【請求項２５】
前記内側ゲローター内部に配置されたギアハウジングを更に備え、該ギアハウジングは、前記外側ゲローターの回転を前記内側ゲローターの回転に同期化するように作働可能である少なくとも１つのギアを収容する、請求項２４に記載のゲローター装置。
【請求項２６】
前記外側ゲローター及び前記内側ゲローターを駆動するため、前記ハウジングの外部にギアシステムを更に備え、
前記ギアシステムは、
第１のギア及び第２のギアを有する回転シャフトと、
前記第１のギアと噛み合い且つ第１のシャフトに連結された第３のギアであって、前記第１のシャフトは前記外側ゲローターに堅固に連結され且つ前記ハウジングの第１の端部に回転可能に連結される、前記第３のギアと、
前記第２のギアと噛み合い且つ第２のシャフトに連結された第４のギアであって、前記第２のシャフトは前記内側ゲローターに堅固に連結され且つ前記ハウジングの第２の端部に回転可能に連結される、前記第４のギアと、
を備える、請求項２４に記載のゲローター装置。
【請求項２７】
前記外側ゲローターに堅固に連結され、且つ、円形孔が形成された、シールプレートと、
前記シールプレートの前記円形孔内に配置され、且つ、円形孔が形成された、シールプラグと、
前記シールプラグの前記円形孔内に配置され、且つ、前記内側ゲローターを支持する、第１のベアリングと、
を更に備える、請求項２４に記載のゲローター装置。
【請求項２８】
前記ハウジングの周辺部の回りに配置されたジャケットを更に備え、該ジャケットは、該ジャケットを流体が通過することを可能にするため、入口ポート及び出口ポートを備える、請求項２４に記載のゲローター装置。
【請求項２９】
ゲローター装置であって、
ハウジングと、
前記ハウジングの第１の端部に堅固に連結された中空シャフトと、
前記中空シャフト内に配置され、且つ、第１のベアリング及び第２のベアリングにより前記中空シャフト内に回転可能に連結された内側シャフトと、
前記内側シャフトに堅固に連結された内側ゲローターと、
前記内側シャフトに堅固に連結された第１の同期化機構と、
第３のベアリング及び第４のベアリングを用いて前記中空シャフトに回転可能に連結され、且つ、第２の同期化機構を有する、外側ゲローターと、
を備える、ゲローター装置。
【請求項３０】
ゲローター装置であって、
ハウジングと、
前記ハウジングの第１の端部に堅固に連結された中空シャフトと、
前記中空シャフト内に配置され、且つ、第１のベアリング及び第２のベアリングにより前記中空シャフト内に回転可能に連結された内側シャフトと、
前記内側シャフトに堅固に連結された外側ゲローターと、
前記外側ゲローターに堅固に連結された第１の同期化機構と、
第３のベアリング及び第４のベアリングを用いて前記中空シャフトに回転可能に連結され、且つ、第２の同期化機構を有する、内側ゲローターと、
を備える、ゲローター装置。
【請求項３１】
ゲローター装置であって、
ハウジングと、
前記ハウジングの第１の端部に堅固に連結された、第１のシャフトと、
前記ハウジングの第２の端部と連係され、且つ、第１のベアリングにより前記第１のシャフトに第１の端部で回転可能に連結された、第２のシャフトと、
前記第２のシャフトに堅固に連結された外側ゲローターと、
前記外側ゲローターに堅固に連結された第１の同期化機構と、
第２のベアリング及び第３のベアリングを用いて前記第１のシャフトに回転可能に連結され、且つ、第２の同期化機構を有する、内側ゲローターと、
を備える、ゲローター装置。
【請求項３２】
前記第１の同期化機構は、外部ギアであり、前記第２の同期化機構は、内部ギアである、請求項３１に記載のゲローター装置。
【請求項３３】
前記第１の同期化機構は、整列案内手段であり、前記第２の同期化機構は、整列部材であり、該整列部材及び該整列案内手段は、前記内側ゲローターの前記外側ゲローターに対する回転を制御するため互いに連関して作働する、請求項３１に記載のゲローター装置。
【請求項３４】
前記ハウジングの前記第１の端部は、前記ゲローター装置用のガス入口を備える、請求項３１に記載のゲローター装置。
【請求項３５】
前記第２のシャフトは、第４のベアリングにより、前記ハウジングの第２の端部に回転可能に連結されている、請求項３１に記載のゲローター装置。
【請求項３６】
前記第１のベアリングは、前記内側ゲローター及び前記外側ゲローターの両方の軸中心を通過する周辺平面と実質的に同一の周辺平面内にある、請求項３１に記載のゲローター装置。
【請求項３７】
前記ハウジングの前記第２の端部に堅固に連結された中空シャフトを更に備え、前記第２のシャフトは、第４のベアリングにより前記中空シャフト内に回転可能に連結されている、請求項３１に記載のゲローター装置。
【請求項３８】
前記第１のシャフトは、前記ハウジングの前記第１の端部に枢動式に連結されており、前記ハウジングの前記第１の端部に連結された非回転ピンは、前記内側ゲローター及び前記外側ゲローターの回転の間に前記第１のシャフトが回転することを防止するように構成される、請求項３１に記載のゲローター装置。
【請求項３９】
前記第１のシャフトは、ゴム製マウントを用いて前記ハウジングの第１の端部に連結されている、請求項３１に記載のゲローター装置。
【請求項４０】
前記第２のシャフトは、前記第１のベアリングにより前記第１のシャフトの外側で前記第１の端部で連結されている、請求項３１に記載のゲローター装置。
【請求項４１】
前記第１のシャフトは、前記ハウジングの前記第２の端部に堅固に連結され、
前記第２のシャフトに堅固に連結された被駆動ギアと、
前記被駆動ギアと噛み合う駆動ギアと、
前記ハウジングの前記第２の端部に回転可能に連結され、前記駆動ギアに堅固に連結された、第３のシャフトと、
を更に備える、請求項３１に記載のゲローター装置。
【請求項４２】
前記ハウジングに連結された近接センサーを更に備え、該近接センサーは、前記外側ゲローターの端部と前記ハウジングの内側表面との間の隙間を検出するように作動可能である、請求項３１に記載のゲローター装置。
【請求項４３】
前記ハウジングの周辺部に形成されたポートに連結された加圧空気源を更に備え、該加圧空気源は、前記ポートを通して前記ハウジング内に加圧空気を分配するように作働可能である、請求項３１に記載のゲローター装置。
【請求項４４】
前記ハウジングの周辺部の回りに配置されたジャケットを更に備え、該ジャケットは、該ジャケットを流体が通過することを可能にするため、入口ポート及び出口ポートを備える、請求項３１に記載のゲローター装置。
【請求項４５】
ゲローター装置であって、
ハウジングと、
前記ハウジングの第１の端部に連結された第１のシャフトと、
前記ハウジングの第2の端部に連結された第１の中空シャフトと、
前記第１の中空シャフト内に配置され、且つ、該第１の中空シャフトに回転可能に連結された、第２のシャフトと、
前記第２のシャフトに堅固に連結された外側ゲローターと、
前記外側ゲローターに堅固に連結された第１の同期化機構と、
前記第１のシャフトに回転可能に連結され、且つ、第２の同期化機構を有する、内側ゲローターと、
を備える、ゲローター装置。
【請求項４６】
ゲローター装置であって、
ハウジングと、
前記ゲローター装置用のガス入口を備える前記ハウジングの第１の端部に、堅固に連結された第１のシャフトと、
前記ハウジングの第２の端部に回転可能に連結された第２のシャフトと、
前記第２のシャフトに堅固に連結された外側ゲローターと、
前記外側ゲローターに堅固に連結された第１の同期化機構と、
前記第１のシャフトに回転可能に連結され、且つ、第２の同期化機構を有する、内側ゲローターと、
を備える、ゲローター装置。
【請求項４７】
前記ハウジングの内側表面から内部に延在する複数の突起部であって、該突起部の各々の間に複数のガスポケットを形成する、前記複数の突起部と、
前記外側ゲローターの壁に形成された複数の導管であって、該導管は、前記外側ゲローター内部の圧縮チャンバーから該外側ゲローターの外部へと延在して、ガスが該圧縮チャンバーから前記ガスポケットへと移動することを可能にする、前記複数の導管と、
を更に備える、請求項４６に記載のゲローター装置。
【請求項４８】
ゲローター装置であって、
ハウジングと、
前記ゲローター装置用のガス入口を備える前記ハウジングの第１の端部に、堅固に連結された下側シャフトと、
前記ギアハウジングに堅固に連結され且つ前記ハウジングの第２の端部に向かって延在する上側シャフトと、
前記下側シャフトに回転可能に連結された内側ゲローターと、
前記上側シャフトに回転可能に連結され且つ第１のベアリングを用いて前記ハウジングの第２の端部に回転可能に連結された外側ゲローターと、
を備え、
前記ギアハウジングは、前記外側ゲローターに連結された第１のギアと、前記内側ゲローターに連結された第２のギアとを連結するアイドラーギアを収容する、ゲローター装置。
【請求項４９】
１つ以上の締め器具を用いて前記ハウジングの第２の端部に連結され、前記第１のベアリングを有する整列プレートを備える、請求項４８に記載のゲローター装置。
【請求項５０】
ゲローター装置であって、
ハウジングと、
前記ゲローター装置用のガス入口ポートを備える前記ハウジングの第１の端部に、堅固に連結された下側シャフトと、
前記ハウジングの第２の端部に堅固に連結された上側シャフトと、
前記下側シャフト及び前記上側シャフトの間に連結されたギアハウジングと、
前記下側シャフトに回転可能に連結された内側ゲローターと、
中空シャフトにより前記上側シャフトに回転可能に連結された外側ゲローターと、
前記中空シャフトに堅固に連結された被駆動ギアと、
前記被駆動ギアに連結された駆動ギアと、
前記ハウジングの第２の端部に回転可能に連結され且つ前記駆動ギアに堅固に連結された回転シャフトと、
を備える、ゲローター装置。
【請求項５１】
ゲローター装置であって、
ハウジングと、
前記ハウジング内に配置された外側ゲローターと、
前記外側ゲローター内に配置された内側ゲローターと、
前記ハウジングに堅固に連結され、且つ、前記外側ゲローターの端部に隣接して配置された第１の表面を備える、バルブプレートと、
を備える、ゲローター装置。
【請求項５２】
前記バルブプレートは、
入口ポートと、
排出ポートと、
前記入口ポート又は前記排出ポートのいずれかと摺動可能に係合する圧縮制御要素であって、該圧縮制御要素は、前記入口ポート又は前記排出ポートのいずれか内のその位置に基づいて前記ゲローター装置の圧縮比率を制御するように作動可能である、前記圧縮制御要素と、
を更に備える、請求項５１に記載のゲローター装置。
【請求項５３】
前記内側ゲローターの外側表面と、前記外側ゲローターの外側表面とは、セラミック材料で被覆されている、請求項５１に記載のゲローター装置。
【請求項５４】
前記ハウジングの周辺部に形成されたポートに連結された加圧空気源を更に備え、該加圧空気源は、前記外側ゲローターの外側周辺部の少なくとも一部分に力を供給するため、前記ポートを通して前記ハウジング内に加圧空気を分配するように作働可能である、請求項５１に記載のゲローター装置。
【請求項５５】
ゲローター装置であって、
外側ゲローターチャンバーを備える外側ゲローターと、
内側ゲローターであって、前記内側ゲローターの少なくとも一部分が前記外側ゲローターチャンバー内に配置され、且つ、該外側ゲローターチャンバー内に潤滑油を連通させるように作働する１つ以上の導入通路を備える、前記内側ゲローターと、
前記内側ゲローターの前記外側ゲローターに対する回転を制御するように作動可能である同期化システムと、
を備える、ゲローター装置。
【請求項５６】
前記装置は、コンプレッサを備える、請求項５５に記載のゲローター装置。
【請求項５７】
前記装置は、エキスパンダーを備える、請求項５５に記載のゲローター装置。
【請求項５８】
前記内側ゲローターは、先端部を備え、該先端部は前記導入通路のうち一つのための開口部を備える、請求項５５に記載のゲローター装置。
【請求項５９】
前記内側ゲローターは、先端部を備え、該先端部は前記導入通路のうち一つのための３つの開口部を備える、請求項５５に記載のゲローター装置。
【請求項６０】
前記内側ゲローターは、複数の先端部を備え、該先端部の各々は前記１つ以上の導入通路の少なくとも１つのための開口部を備える、請求項５５に記載のゲローター装置。
【請求項６１】
前記外側ゲローターは、潤滑油が該外側ゲローターから出るように作働する少なくとも１つの出口通路を備える、請求項５５に記載のゲローター装置。
【請求項６２】
前記外側ゲローターチャンバーは、ノッチを備え、該ノッチは、１つ以上の出口通路の少なくとも１つのための出口開口部を備える、請求項１４６に記載のゲローター装置。
【請求項６３】
前記外側ゲローターチャンバーは、複数のノッチを備え、該ノッチの各々は、前記１つ以上の出口通路の少なくとも１つのための出口開口部を備える、請求項１４６に記載のゲローター装置。
【請求項６４】
前記外側ゲローターチャンバーは、前記潤滑油の少なくとも一部分が前記外側ゲローターチャンバー内に含まれるように取り囲まれている、請求項５５に記載のゲローター装置。
【請求項６５】
前記内側ゲローターは、複数の先端部を有する星形状に形成され、少なくとも１つの先端部が前記導入通路の一つのための開口部を備える、請求項５５に記載のゲローター装置。
【請求項６６】
前記内側ゲローターは、
中心部と、
前記中心部から突出する複数のアームであって、各アームは先端部を備え、少なくとも１つの先端部は前記導入通路の一つのための開口部を備える、前記複数のアームと、
を備える、請求項５５に記載のゲローター装置。
【請求項６７】
ゲローター装置であって、
外側ゲローターと、
内側ゲローターと、
整列案内手段と整列部材とを備え、且つ、該整列部材は該整列案内手段と整列した状態で位置決めされている、同期化システムと、
を備え、
前記同期化システムは、前記内側ゲローターの前記外側ゲローターの回転を制御するように作動可能である、ゲローター装置。
【請求項６８】
前記装置は、第１の区分及び第２の区分を備える外側ゲローターチャンバーを有し、
前記外側ゲローターは、前記外側ゲローターチャンバーの前記第１の区分内に少なくとも部分的に配置され、
前記同期化システムは、前記外側ゲローターチャンバーの前記第２の区分内に少なくとも部分的に配置され、
前記装置は、潤滑油が前記外側ゲローターチャンバーの前記第１の区分に入ることを少なくとも実質的に防止するように作働するシール部を更に備える、請求項１５５に記載のゲローター装置。
【請求項６９】
前記整列案内手段は、トラックを備え、前記整列部材は、前記トラックに沿って移動するように作働するノブ装置を備える、請求項６７に記載のゲローター装置。
【請求項７０】
ゲローター装置であって、
外側ゲローターと、
内側ゲローターと、
前記内側ゲローターを前記外側ゲローターに対して整列させるように作働する同期化システムと、
を備え、
前記同期化システムは、
前記外側ゲローターに連結され、整列案内手段を備える、カムプレートと、
前記内側ゲローターに連結され、且つ、前記整列案内手段と整列した少なくとも１つの整列部材を備える、ペグプレートと、
を備える、ゲローター装置。
【請求項７１】
前記外側ゲローターに連結され、該外側ゲローターの位置を少なくとも部分的に制御するように作働する駆動装置を更に備える、請求項７０に記載のゲローター装置。
【請求項７２】
前記駆動装置は、駆動プレートである、請求項７０に記載のゲローター装置。
【請求項７３】
前記カムプレートは、複数の適合ノッチを備え、前記駆動装置は、該適合ノッチ内に配置された複数の適合部材を備える、請求項７１に記載のゲローター装置。
【請求項７４】
前記適合部材は、前記駆動装置の熱膨張の間に前記適合ノッチの各々の内部で摺動するように作働可能である、請求項７３に記載のゲローター装置。
【請求項７５】
前記駆動装置は、複数の適合ノッチを備え、前記カムプレートは、前記適合ノッチ内に配置された複数の適合部材を備える、請求項７１に記載のゲローター装置。
【請求項７６】
前記適合部材は、前記支持装置の熱膨張の間に前記適合ノッチの各々の内部で摺動するように作働可能である、請求項７５に記載のゲローター装置。
【請求項７７】
ゲローター装置であって、
境界周囲表面を有する外側ゲローターチャンバーを備える外側ゲローターと、
複数の突起部を備える内側ゲローターと、
前記複数の突起部の特定の一つに隣接して前記内側ゲローターに連結されたノブ装置と、
前記ノブ装置が前記外側ゲローターチャンバーの前記境界周囲表面に隣接して移動するように前記内側ゲローターの前記外側ゲローターに対する回転を制御するように作働可能である、同期化システムと、
を備える、ゲローター装置。
【請求項７８】
前記ノブ装置は、前記内側ゲローターに対して回転しない、請求項１７６に記載のゲローター装置。
【請求項７９】
前記内側ゲローターは、実質的に前記外側ゲローターチャンバー内部に配置され、
前記特定の突起部は先端部を備え、
前記ノブ装置は前記特定の突起部の先端部を超えて延在する、請求項１７６に記載のゲローター装置。
【請求項８０】
前記内側ゲローターは、実質的に前記外側ゲローターチャンバーの外部に配置され、
前記ノブ装置は、実質的に前記外側ゲローターチャンバー内部に配置される、請求項１７６に記載のゲローター装置。
【請求項８１】
前記特定の突起部は、第１の導入通路を備え、
前記ノブ装置は前記第１の導入通路に連結された第２の導入通路を備え、
前記第１及び第２の導入通路は、潤滑油を前記外側ゲローターチャンバー内に連通させるように作働可能である、請求項１７６に記載のゲローター装置。
【請求項８２】
ゲローター装置であって、
外側ゲローターと、
整列案内手段と、
外側ゲローターと、前記整列案内手段と整列して配置された整列部材を備える外側ゲローターアッセンブリと、
内側ゲローターの前記外側ゲローターに対する回転を制御するように作働可能である、同期化システムと、
を備える、ゲローター装置。
【請求項８３】
ゲローター装置であって、
内側ゲローターと、
整列案内手段を備える外側ゲローターと、
前記整列案内手段と整列して配置された整列部材と、
前記整列部材が前記整列案内手段に沿って移動するように前記内側ゲローターの前記外側ゲローターに対する回転を制御するように作働可能である、同期化システムと、
を備える、ゲローター装置。
【請求項８４】
前記整列案内手段は、トラックを備える、請求項８３に記載のゲローター装置。
【請求項８５】
前記外側ゲローターは、外側ゲローターチャンバーを備え、
前記内側ゲローターの少なくとも一部分は前記外側ゲローター内に配置され、
前記整列案内手段は、前記外側ゲローターチャンバーの回りに配置されたトラックを備える、請求項８３に記載のゲローター装置。
【請求項８６】
前記整列部材は、前記内側ゲローターに連結されている、請求項８３に記載のゲローター装置。
【請求項８７】
ゲローター装置であって、
外側ゲローターと、
内サイクロイドに基づく断面形状を備える内側ゲローターと、
前記内側ゲローターの前記外側ゲローターに対する回転を制御するように作働可能である、同期化システムと、
を備える、ゲローター装置。
【請求項８８】
ゲローター装置であって、
外側ゲローターと、
外サイクロイドに基づく断面形状を備える内側ゲローターと、
前記内側ゲローターの前記外側ゲローターに対する回転を制御するように作働可能である、同期化システムと、
を備える、ゲローター装置。
【請求項８９】
ゲローター装置であって、
内側ゲローターと、
外側ゲローターチャンバー及び外側周辺部を有する外側ゲローターであって、該外側周辺部は、該外側ゲローターチャンバーに連結された第１の開口部が設けられ、該外側ゲローターチャンバー内にあるガスが該第１の開口部を通って外側ゲローターから出られるようにした、前記外側ゲローターと、
前記内側ゲローターの前記外側ゲローターに対する回転を制御するように作働可能である、同期化システムと、
を備える、ゲローター装置。
【請求項９０】
前記ゲローター装置は、コンプレッサを備える、請求項８９に記載のゲローター装置。
【請求項９１】
前記ゲローター装置は、エキスパンダーを備える、請求項８９に記載のゲローター装置。
【請求項９２】
前記外側ゲローターチャンバーは、ノッチを備え、
前記外側周辺部の第１の開口部は、前記ノッチに隣接して前記外側ゲローターチャンバーに連結されている、請求項８９に記載のゲローター装置。
【請求項９３】
前記外側ゲローターチャンバーは、複数のノッチを備え、
前記外側周辺部は、前記第１の開口部を含む複数の開口部を備え、
前記外側周辺部の前記複数の開口部の各々は、前記複数のノッチの一つに隣接して前記外側ゲローターチャンバーに連結されている、請求項８９に記載のゲローター装置。
【請求項９４】
ゲローター装置であって、
内側ゲローターと、
外側ゲローターチャンバー及び外側周辺部を有する外側ゲローターであって、該外側周辺部は、該外側ゲローターチャンバーに連結された第１の開口部が設けられる、前記外側ゲローターと、
前記内側ゲローターの前記外側ゲローターに対する回転を制御するように作働可能である、同期化システムと、
を備え、
前記外側ゲローターの第１の位置では、一定体積のガスが、前記外側周辺部の第１の開口部を通って外側ゲローターチャンバーに入ることができ、
前記外側ゲローターの第２の位置では、前記一定体積のガスの少なくとも一部分が前記外側周辺部の前記第１の開口部を通って前記外側ゲローターチャンバーから出ることができる、ゲローター装置。
【請求項９５】
前記内側ゲローターは、潤滑油を前記外側ゲローターチャンバー内に連通させるように作働可能である１つ以上の導入通路を備える、請求項９４に記載のゲローター装置。
【請求項９６】
ゲローター装置であって、
外側ゲローターと、
内部開口部を備える内側ゲローターと、
前記内部開口部内に実質的に配置され、且つ、該内部開口部の第１の区分を該内部開口部の第２の区分から実質的に分離するように作働可能である、セパレータであって、該第１の区分はガスを第１の圧力で受け取るように作働可能な吸引区分であり、該第２の区分は該第１の圧力よりも高い第２の圧力でガスを解放するように作働可能である、出口区分である、前記セパレータと、
前記一定体積のガスの圧力を前記第１の圧力から前記第２の圧力まで増加させるため前記内側ゲローター及び前記外側ゲローターを駆動するように作働可能である駆動装置と、
を備えるゲローター装置。
【請求項９７】
前記外側ゲローターは、外側ゲローターチャンバーを備え、
前記内側ゲローターは、前記内側ゲローターの第１の位置で、ガスが前記内側ゲローターの内部開口部の第１の区分から前記外側ゲローターチャンバー内に流れることを可能にするように作働可能な通路を備える、請求項９６に記載のゲローター装置。
【請求項９８】
前記通路は、前記内側ゲローターの第２の位置で、ガスが外側ゲローターチャンバーから前記内側ゲローターの内部開口部の第２の区分内に流れることを可能にするように作働可能な通路を備える、請求項９７に記載のゲローター装置。
【請求項９９】
前記外側ゲローターは、外側ゲローターチャンバーを備え、
前記内側ゲローターは、前記内側ゲローターの第１の位置で、前記外側ゲローターチャンバーから前記内側ゲローターの内部開口部の第２の区分内に流れることを可能にするように作働可能である通路を備える、請求項９６に記載のゲローター装置。
【請求項１００】
前記外側ゲローターは、外側ゲローターチャンバーを備え、
前記内側ゲローターは、
前記内側ゲローターの第１の位置で、ガスが内側ゲローターの内部開口部の第１の区分から外側ゲローターチャンバー内に流れることを可能にするように作働可能である第１の通路と、
前記内側ゲローターの第１の位置で、ガスが外側ゲローターチャンバーから内側ゲローターの内部開口部の第２の区分内に流れることを可能にするように作働可能である第２の通路と、
を備える、請求項９６に記載のゲローター装置。
【請求項１０１】
エンジンシステムであって、
貯蔵タンクと、
駆動装置と、
ガスを圧縮するように作働可能であるコンプレッサと、
前記コンプレッサに連結され、前記駆動装置を駆動させるため圧縮ガスを受け取るように作働可能であるエキスパンダーと、
を備え、
前記コンプレッサは、前記システムの第１の状態の間、圧縮ガスを前記エキスパンダーに向かって連通させ、
前記システムの第２の状態の間、圧縮ガスを前記貯蔵タンクに向かって連通させるように更に作働可能である、エンジンシステム。
【請求項１０２】
前記コンプレッサは、
外側ゲローターと、
内側ゲローターと、
前記内側ゲローターの前記外側ゲローターに対する回転を制御するように作働可能である同期化システムと、
を備える、請求項１０１に記載のシステム。
【請求項１０３】
前記エキスパンダーは、
外側ゲローターと、
内側ゲローターと、
前記内側ゲローターの前記外側ゲローターに対する回転を制御するように作働可能である同期化システムと、
を備える、請求項１０１に記載のシステム。
【請求項１０４】
前記コンプレッサ及び前記エキスパンダーの各々は、
外側ゲローターと、
内側ゲローターと、
前記内側ゲローターの前記外側ゲローターに対する回転を制御するように作働可能である同期化システムと、
を備える、請求項１０１に記載のシステム。
【請求項１０５】
ゲローター装置であって、
外側ゲローターと、
前記外側ゲローターに連結された第１の回転対象と、
内側ゲローターと、
前記内側ゲローターに連結された第２の回転対象と、
前記第１及び第２の回転対象に連結された同期化システムと、
を備え、
前記同期化システムは、前記外側ゲローターの前記内側ゲローターに対する回転を制御  するように作働可能である、ゲローター装置。
【請求項１０６】
前記第１の回転対象は、第１のプーリーを備え、
前記第２の回転対象は、第２のプーリーを備え、
前記同期化システムは、前記第１及び第２のプーリーと相互作用するように作働可能である１つ以上のベルトを備える、請求項１０５に記載のゲローター装置。
【請求項１０７】
前記ベルトの少なくとも１つは、タイミングベルトである、請求項１０６に記載のゲローター装置。
【請求項１０８】
前記ベルトの少なくとも１つは、実質的に剛性のケーブルベルトである、請求項１０６に記載のゲローター装置。
【請求項１０９】
前記第１の回転対象は、第１のスプロケットを備え、
前記第２の回転対象は、第２のスプロケットを備え、
前記同期化システムは、前記第１及び第２のギアと相互作用するように作働可能である１つ以上のチェーンを備える、請求項１０５に記載のゲローター装置。
【請求項１１０】
前記同期化システムは、前記第１の回転対象及び前記第２の回転対象に連結されたベルトを備える、請求項１０５に記載のゲローター装置。
【請求項１１１】
前記第１の回転対象は、前記外側ゲローターに連結された第１のシャフトを備え、
前記第２の回転対象は、前記内側ゲローターに連結された第２のシャフトを備える、請求項１１０に記載のゲローター装置。
【請求項１１２】
前記同期化システムは、
前記第１の回転対象及び第３の回転対象に連結された第１のベルトと、
前記第２の回転対象及び第４の回転対象に連結された第２のベルトと、
を備え、
前記第３の回転対象及び前記第４の回転対象は、前記第３の回転対象の回転が前記第４の回転対象の回転を引き起こすように相互に連関する、請求項１０５に記載のゲローター装置。
【請求項１１３】
前記第３の回転対象及び前記第４の回転対象は、シャフトに連結される、請求項１１２に記載のゲローター装置。
【請求項１１４】
前記第１の回転対象は、第１のシャフトにより、前記外側ゲローターに連結され、前記第２の回転対象は、第２のシャフトにより、前記内側ゲローターに連結される、請求項１１２に記載のゲローター装置。
【請求項１１５】
ゲローター装置であって、
内側ゲローターと、
外側ゲローターと、
前記外側ゲローターの前記内側ゲローターに対する回転を制御するように作働可能である同期化システムと、
前記外側ゲローターの回転を少なくとも部分的に制御するように作働可能である、電動モーターと、
を備える、ゲローター装置。
【請求項１１６】
前記電動モーターの構造は、前記外側ゲローターと少なくとも部分的に一体形成されている、請求項１１５に記載のゲローター装置。
【請求項１１７】
前記電動モーターは、ローター及びステーターを有するスイッチドリラクタンスモーターであり、該ローターは、前記外側ゲローターを含む、請求項１１５に記載のゲローター装置。
【請求項１１８】
前記ローターは、複数の極を備え、各極は、前記外側ゲローターに連結された強磁性材料部を有する、請求項１１７に記載のゲローター装置。
【請求項１１９】
前記外側ゲローターは、外側周辺部を備え、強磁性材料部の各々は、前記外側周辺部に近接したところで前記外側ゲローターに連結されている、請求項１１７に記載のゲローター装置。
【請求項１２０】
前記外側ゲローターは、外側ゲローターチャンバーを備え、該外側ゲローターチャンバーは、所定数のノッチを備え、
前記ローターは、所定数の極を備え、該極の数は前記ノッチの数に等しい、請求項１１７に記載のゲローター装置。
【請求項１２１】
前記電動モーターは、ローター及びステーターを有する永久磁石モーターであり、該ローターは、前記外側ゲローターを含む、請求項１１５に記載のゲローター装置。
【請求項１２２】
前記外側ゲローターは、外側周辺部を備え、
前記ローターは、前記外側周辺部に近接したところで前記外側ゲローターに連結された複数の磁石を備える、請求項１２１に記載のゲローター装置。
【請求項１２３】
前記電動モーターは、前記外側ゲローターに連結された籠形ローターを備える籠形誘導モーターである、請求項１１５に記載のゲローター装置。
【請求項１２４】
前記籠形ローターは、前記外側ゲローターを実質的に取り囲む、請求項１２３に記載のゲローター装置。
【請求項１２５】
ゲローター装置であって、
内側ゲローターと、
外側ゲローターと、
前記外側ゲローターの前記内側ゲローターに対する回転を制御するように作働可能である同期化システムと、
前記外側ゲローターの回転から電気を発生するように作働可能である発電機と、
を備える、ゲローター装置。
【請求項１２６】
エンジンシステムであって、
内側エキスパンダーゲローター及び外側エキスパンダーゲローターを有する、エキスパンダーと、
内側コンプレッサゲローター及び外側コンプレッサゲローターを有する、コンプレッサと、
を備え、
前記内側エキスパンダーゲローター及び前記内側コンプレッサゲローターは、前記エンジンシステムの少なくとも第１の状態で、前記内側エキスパンダーゲローターの回転が前記内側コンプレッサゲローターの回転に比例するように連結されている、エンジンシステム。
【請求項１２７】
前記内側エキスパンダーゲローター及び前記内側コンプレッサゲローターは、前記内側エキスパンダーゲローター及び前記内側コンプレッサゲローターが、前記エンジンシステムの少なくとも前記第１の状態で一緒に回転するように連結されている、請求項１２６に記載のエンジンシステム。
【請求項１２８】
前記外側エキスパンダーゲローター及び前記外側コンプレッサゲローターは、前記エンジンシステムの少なくとも第１の状態で、前記外側エキスパンダーゲローターの回転が前記外側コンプレッサゲローターの回転に比例するように連結されている、請求項１２６に記載のエンジンシステム。
【請求項１２９】
前記外側エキスパンダーゲローター及び前記外側コンプレッサゲローターは、前記外側エキスパンダーゲローター及び前記外側コンプレッサゲローターが、前記エンジンシステムの少なくとも前記第１の状態で一緒に回転するように連結されている、請求項１２６に記載のエンジンシステム。
【請求項１３０】
前記エキスパンダーを通って流れるガスが前記コンプレッサを通って流れるガスから実質的に分離された状態に維持されるように作働可能であるシールプレートを更に備える、請求項１２６に記載のエンジンシステム。
【請求項１３１】
ゲローター装置であって、
ハウジングと、
前記ハウジング内に配置された外側ゲローターと、
前記外側ゲローター内に配置された内側ゲローターと、
前記内側ゲローター内に配置され且つ下側シャフトを用いて前記ハウジングに連結されたギアハウジングであって、該ギアハウジングは、前記外側ゲローターの回転を前記内側ゲローターの回転と同期させるように作働可能である少なくとも１つのギアを収容する、前記ギアハウジングと、
を備える、ゲローター装置。
【請求項１３２】
前記少なくとも１つのギアは、第１のギア及び第２のギアを連結させるアイドラー平ギアを備え、該第１のギアは前記外側ゲローターに連結され、前記第２のギアは前記内側ゲローターに連結される、請求項１３１に記載のゲローター装置。
【請求項１３３】
前記ハウジングに連結された近接センサーを更に備え、該近接センサーは、前記外側ゲローターの端部と前記ハウジングの内側表面との間の隙間を検出するように作動可能である、請求項１３１に記載のゲローター装置。
【請求項１３４】
前記ハウジングの周辺部の回りに配置されたジャケットを更に備え、該ジャケットは、該ジャケットを流体が通過することを可能にするため、入口ポート及び出口ポートを備える、請求項１３１に記載のゲローター装置。